(57)【要約】【課題】  相手からのＣＡＬＬＥＲ  ＩＤ信号を受信できるまでは、着信時に鳴動をさせないようにし、また、その間には、フックしても相手と通話状態にさせないように制御することによって、着信拒否したい相手とは、絶対に通話状態にさせない通信端末装置を提供することを目的とするものである。【解決手段】  発呼者の発信電話番号を取得する手段と、着信を拒否したい番号を予め登録するメモリと、上記発信者番号取得手段が取得した発信者番号と上記メモリに登録されている電話番号とが一致しているかどうかを判断する手段とを有する留守番電話装置において、着信があった際に、鳴動させるまでの時間を遅延させる鳴動遅延手段と、着信があった際に、相手からの電話番号を取得出来次第、所定の処理をする制御手段とを有する通信端末装置である。【選択図】  図５
2005277519.tif 000002
【特許請求の範囲】
【請求項１】
発呼者の発信電話番号を取得する手段と、着信を拒否したい番号を予め登録するメモリと、上記発信者番号取得手段が取得した発信者番号と上記メモリに登録されている電話番号とが一致しているかどうかを判断する手段とを具備する通信端末装置において、
着信があった際に、鳴動させるまでの時間を遅延させる鳴動遅延手段と；
着信があった際に、相手からの電話番号を取得出来次第、所定の処理を実行する制御手段と；
を有することを特徴とする通信端末装置。
【請求項２】
請求項１において、
上記発信番号を示す情報は、ＣＡＬＬＥＲ  ＩＤであることを特徴とする通信端末装置。
【請求項３】
請求項１において、
着信してから着信音が鳴動するまでは、オフフック、キー押下を無視することを特徴とする通信端末装置。
【発明の詳細な説明】
【技術分野】
【０００１】
本発明は、通信端末装置およびプログラムに関する。
【背景技術】
【０００２】
近年、発信者の電話番号を表示する信号（ＣＡＬＬＥＲ  ＩＤ信号）を受信者の側に送信する、いわゆる「発信電話番号通知サービス」が提案され、一部の地域で実用化されている。
【０００３】
この技術によって、受信者は、発信者を確認することができ、この呼び出しに応答するかどうかを決定することができる。
【０００４】
また、近年いたずら電話や勧誘等の迷惑呼による被害が増加傾向にあり、この迷惑呼を拒否する着信拒否に関する発明も数多く知られている。たとえば、登録されている電話番号の呼には、専用メッセージを送出し、切断するもの等が知られている（たとえば、特許文献１参照）。
【特許文献１】特開２００３−２６４８５７号公報
【発明の開示】
【発明が解決しようとする課題】
【０００５】
しかし、ＥＴＳＩの規格ではＣＡＬＬＥＲ  ＩＤ信号は、ＣＡＬＬＩＮＧ信号（以下ＣＩ）が一度来てから、番号データ等の実データが送出されるので、従来の制御では、一度だけ鳴動した後に、着信拒否動作を実行し、したがって、使用者にとっては煩わしいという問題がある。また、タイミングによっては（１回目のＣＩ時にフックアップをした場合等）、着信拒否相手と偶然通話状態になることがあるという問題がある。
【０００６】
本発明は、相手からのＣＡＬＬＥＲ  ＩＤ信号を受信できるまでは、着信時に鳴動をさせないようにし、また、その間には、フックしても相手と通話状態にさせないように制御することによって、着信拒否したい相手とは、絶対に通話状態にさせない通信端末装置を提供することを目的とするものである。
【課題を解決するための手段】
【０００７】
本発明は、発呼者の発信電話番号を取得する手段と、着信を拒否したい番号を予め登録するメモリと、上記発信者番号取得手段が取得した発信者番号と上記メモリに登録されている電話番号とが一致しているかどうかを判断する手段とを有する留守番電話装置において、着信があった際に、鳴動させるまでの時間を遅延させる鳴動遅延手段と、着信があった際に、相手からの電話番号を取得出来次第、所定の処理をする制御手段とを有する通信端末装置である。
【発明の効果】
【０００８】
本発明によれば、迷惑電話からの電話が鳴動しないという効果を奏し、また、迷惑電話に誤って応答することを防止することができるという効果を奏する。
【発明を実施するための最良の形態】
【０００９】
発明を実施するための最良の形態は、次の実施例である。
【実施例１】
【００１０】
図１は、本発明の実施例１である通信端末装置１００の外観を示す図である。
【００１１】
通信端末装置１００は、筐体を有し、この筐体の上面には、ハンドセット１０１、表示器１０２、操作部１０３等が設けられている。
【００１２】
表示器１０２は、通信端末装置１００の状態や電話番号等を表示するものである。操作部１０３は、複数のキーを具備し、電話番号や各種設定情報を入力し、動作を指示する。着信を拒否したい電話番号があれば、操作部１０３を介して、その着信拒否したい電話番号を、ＲＡＭ２０１に登録する。
【００１３】
図２は、通信端末装置１００の内部構成を示すブロック図である。
【００１４】
通信端末装置１００は、表示器１０２、操作部１０３の他に、電話部２００、ＲＡＭ２０１、ＲＯＭ２０２、モデム２０３、バス２０４、ＣＰＵ２０５を有する。
【００１５】
ＲＡＭ２０１は、プログラムを記憶し、さらに、読み取った画像データ等を記憶する揮発性メモリであり、表示器１０２は、機器の状態等を表示する表示部であり、ＣＡＬＬＥＲ  ＩＤによって送られた電話番号は、表示器１０２に表示される。操作部１０３は、電話番号等さまざまな登録を行わせ、所定の動作をユーザに行わせる操作部であり、電話部２００は、電話の発着呼を制御する電話部であり、バス２０４を介して接続されている。モデム２０３は、ＣＡＬＬＥＲ  ＩＤのデータを受信・解析し、留守番電話メッセージの音声を出力し、電話部２００と接続されている。また、ＲＯＭ２０２には、図４、図５に示すフローチャートに対応する制御プログラムが格納されている。
【００１６】
図３は、電話部２００の詳細を示す回路図である。
【００１７】
電話部２００には、ＣＭＬリレー３０１が設けられている。ＣＭＬリレー３０１が、モデム２０３側に切り替えられた状態を、ＣＭＬリレーＯＮ状態と呼び、この状態であるときにのみ、ＣＡＬＬＥＲ  ＩＤデータを受信することができる。なお、通常時は、ＣＭＬリレー３０１がＯＦＦ状態であり、ＣＭＬリレー３０１が電話側（ハンドセットや外部ＴＥＬ）と接続されている。
【００１８】
次に、通信端末装置１００において、ＣＡＬＬＥＲ  ＩＤを受信する動作について説明する。
【００１９】
図４は、通信端末装置１００において、ＣＡＬＬＥＲ  ＩＤを受信する動作を示すフローチャートである。
【００２０】
まず、ＣＩ信号を検知する（Ｓ４０１）。１回目のＣＩ信号がＯＦＦになると、ＣＡＬＬＥＲ  ＩＤ信号を受信するフェーズに移行するために、ＣＭＬリレー３０１をＯＮし、ＣＭＬリレー３０１をモデム２０３側に切り替える（Ｓ４０２、４０３）。
【００２１】
次に、ＣＡＬＬＥＲ  ＩＤデータを受信するためのシステム設定を、モデム２０３に行い、ＣＡＬＬＥＲ  ＩＤのデータ受信時間のタイマをセットする（Ｓ４０４）。そして、チャネル獲得データを受信し（Ｓ４０５、Ｓ４０６）、メッセージのタイプ、データを受信する（Ｓ４０７）。メッセージのフォーマットを、図示しないが、これらがＣＡＬＬＥＲ  ＩＤデータの実体である。
【００２２】
そして、Ｓ４０４でセットしたデータ受信タイマが、タイムアウトしているか、いないかを調べ（Ｓ４０８）、タイムアウトしていれば、処理を終了し、異常終了にする。タイムアウトしていなければ、受信したデータを解析し（Ｓ４０９）、解析が正常に終了していれば（Ｓ４１０）、ＲＡＭ２０１にデータを格納し、処理を終了する。
【００２３】
次に、通信端末装置１００において、着信があった際の動作について説明する。
【００２４】
図５は、通信端末装置１００において、着信があった際の動作を示すフローチャートである。
【００２５】
まず、着信があるかどうかを監視する（Ｓ５０１）。着信があれば、リンガーをオフし（Ｓ５０２）、電話を鳴動させないようにする。ＣＩを一発受信した際の処理は、図４に示すフローチャートの通りである。
【００２６】
ＣＡＬＬＥＲ  ＩＤのデータを受信すると（Ｓ５０４、５０５）、相手先の電話番号が、着信拒否すべき電話番号であるかどうかを調べる（Ｓ５０６）。つまり、受信した相手先の電話番号と、ＲＡＭ２０１に保存されている着信拒否すべきデータとを比較し（Ｓ５０６）、相手先の電話番号が、着信拒否すべき電話番号であると判断されれば、所定の処理、つまり、適切な着信拒否の処理を行い（Ｓ５０７）、回線を解放する（５０８）。
【００２７】
なお、Ｓ５０１〜Ｓ５０８を処理している間では、ハンドセットのオフフック、オンフックキー押下等を無視する。また、ＣＡＬＬＥＲ  ＩＤのデータが無い場合（Ｓ５０４）、または、相手先が着信拒否すべき相手ではないと判断された場合（Ｓ５０６）は、リンガーをＯＮし（Ｓ５０９）、電話を鳴動させる（Ｓ５１０）。なお、ここからは、ハンドセットのオフフックを無視しないようにし（Ｓ５１１）、オフフックされれば（Ｓ５１１）、通話状態にする（Ｓ５１２）。通話が終了すると（Ｓ５１３）、回線を解放し（Ｓ５０８）、処理を終了する。
【図面の簡単な説明】
【００２８】
【図１】本発明の実施例１である通信端末装置１００の外観を示す図である。
【図２】通信端末装置１００の内部構成を示すブロック図である。
【図３】電話部２００の詳細を示す回路図である。
【図４】通信端末装置１００において、ＣＡＬＬＥＲ  ＩＤを受信する動作を示すフローチャートである。
【図５】通信端末装置１００において、着信があった際の動作を示すフローチャートである。
【符号の説明】
【００２９】
１００…通信端末装置、
１０２…表示器、
１０３…操作部、
２００…電話部、
２０１…ＲＡＭ、
２０２…ＲＯＭ、
２０３…モデム、
２０４…バス、
２０５…ＣＰＵ、
３０１…ＣＭＬリレー。
【図１】
2005277519.tif 000003
【図２】
2005277519.tif 000004
【図３】
2005277519.tif 000005
【図４】
2005277519.tif 000006
【図５】
2005277519.tif 000007